Podtech/llm-jp-corpus-v4-ja_patent huggingface dataset:
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
継手において、前記継手は、内側部材及び外側環状部材、及び１又は複数の中間部材を備え、前記部材は、対で配置され、前記各対は、共通軸（Ａ１）を有する第１の部材及び第２の環状部材であり、共通の第１の中心（Ｃ）を前記軸上に有し、前記第１の部材は、外側凸状球形周辺部（Ｓ１）を有し、前記第２の環状部材は、前記第１の部材の前記外側凸状球形周辺部が中に受け入れられる内側球形凹状周辺部（Ｓ２１）を有し、前記外側凸状球形周辺部及び前記内側球形凹状周辺部は、前記第１の中心（Ｃ）を中心として同心で、互いに補完形であり、互いに一緒に作用して前記外側凸状球形周辺部と前記内側球形凹状周辺部との間のねじり軸（Ａ１）に沿って作用する軸方向荷重を伝達し、直径方向に対向する一対又は複数対の心棒（Ｘ）は、前記共通の第１の中心の径方向に配設され、部材の一方から他方にねじり荷重を伝達し、前記第１の環状部材及び前記第２の環状部材は、前記心棒（複数可）によって、前記心棒（複数可）周りで互いに対し強制的に回転可能であり、前記内側部材、及び前記内側部材と共に対の部材を形成する前記第２の環状部材は、球形区分を備え、前記区分は、前記第１の中心と一致する共通の中心を有することを特徴とする、継手。
【請求項２】
更なる対の部材は、共通の中心を有する球形区分を備えることを特徴とする、請求項１に記載の継手。
【請求項３】
球形区分を備える前記対の部材は、前記対の部材を整合した場合に共通平面で平行な側部を有することを特徴とする、請求項１又は２に記載の継手。
【請求項４】
前記凸状球形周辺部（Ｓ１）及び前記内側球形凹状周辺部（Ｓ２１）は、連続し、前記継手の径方向荷重及び前記ねじり軸（Ａ１）に沿って作用する荷重を支持することを特徴とする、請求項１から３のうちいずれか一項に記載の継手。
【請求項５】
前記継手は、前記凸状球形の面と前記凹状球形の面との間、及び／又は前記心棒（複数可）（Ｘ）周囲に、転動体軸受け（１００、１０２）を備えることを更に特徴とする、請求項１から４のうちいずれか一項に記載の継手。
【請求項６】
一対の部材の第２の環状部材（２０２、４０２、４０３、６０２、６０３、６０４、６０５）は、一対の部材の第１の部材（２０１、４０１、４０２、６０１、６０２、６０３、６０４）を前記継手内に保持することを特徴とする、請求項１から５のうちいずれか一項に記載の継手。
【請求項７】
前記一対の部材の第２の環状部材は、直径方向に対向する一対の荷重溝穴（Ｌ１、Ｌ２）を有し、前記荷重溝穴（Ｌ１、Ｌ２）によって、前記対の部材の第１の部材は、前記継手に挿入され、中に保持することができることを特徴とする、請求項１から６のうちいずれか一項に記載の継手。
【請求項８】
前記継手は、最内部材（４０１）、中間部材（４０２）及び最外部材（４０３）を備え、前記最内部材（４０１）及び前記中間部材（４０２）は、第１の対の部材を構成し、前記中間部材（４０２）及び前記最外部材（４０３）は、第２の対の部材を構成し、前記第２の対の部材（４０２、４０３）を結合する心棒（複数可）（Ｘ２、Ｘ２１）は、前記第１の対の部材（４０１、４０２）を結合する心棒（複数可）（Ｘ１、Ｘ１１）に直交し、前記第２の対の部材は、前記第１の対の部材とは無関係に、互いに回転可能であることを特徴とする、請求項１から７のうちいずれか一項に記載の継手。
【請求項９】
前記継手は、第１の中間部材（６０２）、第２の中間部材（６０３）及び第３の中間部材（６０４）を有し、前記内側部材（６０１）及び前記第１の中間部材（６０２）は、一対の部材を形成し、前記第１の中間部材（６０２）及び前記第２の中間部材（６０３）は、第２の対の部材であり、前記第２の部材（６０３）及び前記第３の中間部材（６０４）は、第３の対の部材であり、前記第３の中間部材（６０４）及び最外部材（６０５）は、第４の対の部材であることを特徴とする、請求項１から７のうちいずれか一項に記載の継手。
【請求項１０】
前記第３の対の部材の場合、前記第３の対の部材の心棒（Ｘ３、Ｍ３１）を含む平面は、前記第１の対の部材の心棒（Ｘ１、Ｘ１１）を含む平面に直交し、前記第２の対の部材の心棒（Ｘ２、Ｘ２１）を含む平面と一致することを特徴とする、請求項９に記載の継手。
【請求項１１】
前記第２の中間部材（６０３）の前記凸状球形の外側面は、外側周辺部（Ｓ３２）を有し、前記外側周辺部（Ｓ３２）は、前記部材が整合する場合に前記共通軸（Ａ１）の方向で前記共通の第１の中心（Ｃ）からずれた共通の第２の中心（Ｃ２）を中心として凸状球形であることを特徴とする、請求項９又は１０に記載の継手。
【請求項１２】
前記第２の中間部材（６０３）は、前記共通の第２の中心を中心とする外側凸状周辺部（Ｓ３２）、及び前記共通の第１の中心（Ｃ）を中心とする内側凹状周辺部を有することを特徴とする、請求項９から１１のうちいずれか一項に記載の継手。
【請求項１３】
前記第４の対の部材を連結する心棒（複数可）（Ｘ４、Ｘ４１）は、前記第３の対の部材を連結する前記心棒（複数可）（Ｘ３、Ｘ３１）に平行であり、前記第４の対の部材（６０４、６０５）は、前記第１の対の部材、前記第２の対の部材及び前記第３の対の部材とは無関係の方向で、前記共通の第２の中心周りで互いに対して回転可能であることを特徴とする、請求項９から１２のうちいずれか一項に記載の継手。
【請求項１４】
前記第1の対の部材（６０１、６０２）はそれぞれ、整合した場合に共通平面で平行な側部を有する球形区分を備え、前記第３の対の部材（６０３、６０４）及び前記第４の対の部材（６０４、６０５）はそれぞれ、整合した場合に共通平面で平行な側部を有する球形区分を備えることを特徴とする、請求項９から１３のうちいずれか一項に記載の継手。
【請求項１５】
継手において、前記継手は、それぞれが連結構造体によってもう一方の継手に連結された１から１４のうちいずれか一項に記載の２つの継手のうちの一方であり、前記連結構造体は、前記各継手の前記最外部材又は前記一方の継手の前記最外部材を前記もう一方の継手の前記最内部材に接合することを特徴とする、継手。
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2016540809.tif 000001
（式中、
Ｒ１＝ハロゲン、ＣＦ３、ＯＣＦ３、ＣＮであり、
ｎ＝０から３の整数、好ましくは１、２または３であり、
Ｒ２＝Ｃ１−Ｃ３−ハロアルキル、好ましくはＣＦ３またはＣＦ２Ｃｌであり、
Ｔ＝１以上のラジカルＹにより置換されていてもよい５または６員環であり、
Ｙ＝メチル、ハロメチル、ハロゲン、ＣＮ、ＮＯ２、ＮＨ２−Ｃ＝Ｓであるか、または
２個の隣接するラジカルＹが、一緒になって、鎖、特に３または４員の鎖を形成し；
Ｑ＝１以上のラジカルにより置換されていてもよい、Ｘ−ＮＲ３Ｒ４または５員Ｎ−ヘテロアリール環であり；
Ｘ＝ＣＨ２、ＣＨ（ＣＨ３）、ＣＨ（ＣＮ）、ＣＯ、ＣＳであり、
Ｒ３＝水素、メチル、ハロエチル、ハロプロピル、ハロブチル、メトキシメチル、メトキシエチル、ハロメトキシメチル、エトキシメチル、ハロエトキシメチル、プロポキシメチル、エチルアミノカルボニルメチル、エチルアミノカルボニルエチル、ジメトキシエチル、プロピニルアミノカルボニルメチル、Ｎ−フェニル−Ｎ−メチル−アミノ、ハロエチルアミノカルボニルメチル、ハロエチルアミノカルボニルエチル、テトラヒドロフリル、メチルアミノカルボニルメチル、（Ｎ，Ｎ−ジメチルアミノ）−カルボニルメチル、プロピルアミノカルボニルメチル、シクロプロピルアミノカルボニルメチル、プロペニルアミノカルボニルメチル、ハロエチルアミノカルボニルシクロプロピル、
【化２】
2016540809.tif 000002
ここで、ＺＡ＝水素、ハロゲン、シアノ、ハロメチル（ＣＦ３）であり；
Ｒ４＝水素、エチル、メトキシメチル、ハロメトキシメチル、エトキシメチル、ハロエトキシメチル、プロポキシメチル、メチルカルボニル、エチルカルボニル、プロピルカルボニル、シクロプロピルカルボニル、メトキシカルボニル、メトキシメチルカルボニル、アミノカルボニル、エチルアミノカルボニルメチル、エチルアミノカルボニルエチル、ジメトキシエチル、プロピニルアミノカルボニルメチル、ハロエチルアミノカルボニルメチル、シアノメチルアミノカルボニルメチルまたはハロエチルアミノカルボニルエチルであるか；
または、Ｒ３およびＲ４は、一緒になって
【化３】
2016540809.tif 000003
からなる群から選択される置換基を形成する。）のイソオキサゾリン化合物またはそれらの塩もしくは溶媒和物と、ジエチレングリコールモノエチルエーテル、および１つのポリソルベート界面活性剤もしくは２つ以上のその組み合わせを含む医薬的に許容可能な担体と、を含む、医薬組成物の使用であって、
動物の寄生虫侵襲の予防または処置のための飲用水投与用の薬剤の製造のための、前記使用。
【請求項２】
前記イソオキサゾリン化合物がフルララネルである、請求項１に記載の使用。
【請求項３】
前記イソオキサゾリン化合物がアフォキソラネルである、請求項１に記載の使用。
【請求項４】
前記イソオキサゾリン化合物がロチラネルである、請求項１に記載の使用。
【請求項５】
前記イソオキサゾリン化合物がサロラネルである、請求項１に記載の使用。
【請求項６】
１．５ｍｇ／ｍＬから１００ｍｇ／ｍＬのイソオキサゾリン化合物を含む、請求項１から５のいずれか１項に記載の使用。
【請求項７】
ジエチレングリコールモノエチルエーテルのポリソルベート界面活性剤に対する比率が、＜５０：５０％ｗ／ｗ、好ましく２５／７５％ｗ／ｗである、請求項１から６の何れか１項に記載の使用。
【請求項８】
前記ポリソルベート界面活性剤がポリソルベート８０である、請求項１から７の何れか１項に記載の使用。
【請求項９】
前記動物がブタおよび家禽類から選択される、請求項１から８の何れか１項に記載の使用。
【請求項１０】
前記動物が産卵鶏である、請求項９に記載の使用。
【請求項１１】
前記寄生虫侵襲がダニ侵襲である、請求項１から１０の何れか１項に記載の使用。
【請求項１２】
前記ダニ侵襲が、デルマニサス属（Ｄｅｒｍａｎｙｓｓｕｓ  ｓｐ）またはオルニトニサス属（Ｏｒｎｉｔｈｏｎｙｓｓｕｓ  ｓｐ．）の侵襲である、請求項１１に記載の使用。
【請求項１３】
前記医薬品組成物は、治療の間、薬用飲用水を介して、単独の動物に対して、動物群に対して、または単一畜舎もしくは単一農場の全動物に対して、利用可能にされる、請求項１から１２の何れか１項に記載の使用。
【請求項１４】
前記治療時間が２から２４時間、好ましくは４または５から８時間である、請求項１３に記載の使用。
【請求項１５】
薬用飲用水の製造のための請求項１から１４のいずれか１項に記載の医薬組成物の使用であって、処置期間中に消費される体積に対応する飲用水の体積で処置される動物数に対して有効量のイソオキサゾリン化合物を提供するイソオキサゾリン化合物の濃度になるまで、前記医薬組成物の体積を水で希釈することによって作製される薬用飲用水の製造のための、前記使用。
【請求項１６】
前記治療時間が２から２４時間、好ましくは４または５から８時間である、請求項１５に記載の使用。
【請求項１７】
安定な医薬組成物であって、ジエチレングリコールモノエチルエーテル、および１つのポリソルベート界面活性剤もしくは２つ以上のその組み合わせを含む医薬的に許容可能な担体中に、請求項１〜５のいずれか１項に記載のイソオキサゾリン化合物の１．５ｍｇ／ｍＬから１００ｍｇ／ｍＬの濃縮溶液を含む、安定な医薬組成物。
【請求項１８】
ジエチレングリコールモノエチルエーテルのポリソルベート界面活性剤に対する比率が、＜５０：５０％ｗ／ｗ、好ましく２５／７５％ｗ／ｗである、請求項１７に記載の医薬組成物。
【請求項１９】
前記担体が、約１０重量％から約７５重量％のジエチレングリコールモノエチルエーテル、および約３０重量％から約８０重量％のポリソルベート界面活性剤を含む、請求項１７または１８に記載の医薬組成物。
【請求項２０】
さらに消泡剤、保存剤または抗酸化剤を含む、請求項１７に記載の医薬組成物。
【請求項２１】
請求項１から１９に特定される医薬組成物および水の混合物を含有する、薬用飲用水。
【請求項２２】
０．００１から１ｍｇ／ｍｌの、請求項１から５のいずれか１項に特定されるイソオキサゾリン化合物を含有する、請求項２１に記載の薬用飲用水。
【請求項２３】
請求項２１または２２に記載の薬用飲用水の製造方法であって、水系中で薬液注入ポンプ系を通じて注入することによって、または薬物タンク中で水と混合することによって医薬組成物が希釈される、前記製造方法。
【請求項２４】
請求項１から１６のいずれか１項に記載されるように使用するための、請求項２１または２２に記載の薬用飲用水。
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
繊維シート材料と水系配合物とを含むウェットワイプであって、前記水系配合物は、
ａ．）約１０〜約５０重量パーセントのウイッチヘーゼル；
ｂ．）約０．０１〜約２重量パーセントの少なくとも１種の乳化剤；および
ｃ．）約０．０１〜約０．２重量０パーセントの少なくとも１種の皮膚軟化剤
を含み、ここで重量パーセントは前記配合物の総重量に基づく、
ここで、前記配合物中の前記少なくとも１種の乳化剤が、植物性バターである、
ウェットワイプ。
【請求項２】
前記配合物中の前記少なくとも１種の皮膚軟化剤が、ビタミンＥ酢酸エステルである、請求項１または２に記載のウェットワイプ。
【請求項３】
前記配合物中の前記少なくとも１種の乳化剤が、エトキシ化シアバターである、請求項１または２に記載のウェットワイプ。
【請求項４】
前記繊維シート材料が、不織材料を含む、請求項１〜３のいずれか一項に記載のウェットワイプ。
【請求項５】
前記ウェットワイプの乾燥重量に基づき約１０〜約９０重量パーセントの前記配合物を含む、請求項１〜４のいずれか一項に記載のウェットワイプ。
【請求項６】
前記ウェットワイプの乾燥重量に基づき配合物とワイプを約４：１で含む、請求項１〜５のいずれか一項に記載のウェットワイプ。
【請求項７】
前記配合物が、少なくとも１種の乳化剤と少なくとも１種の皮膚軟化剤とを約１０：１の比で含む、請求項１〜６のいずれか一項に記載のウェットワイプ。
【請求項８】
前記配合物が、約１．５重量パーセントのエトキシ化シアバターを含み、ここで重量パーセントは前記配合物の総重量に基づく、請求項３に記載のウェットワイプ。
【請求項９】
前記配合物が、少なくとも１種の界面活性剤を含む、請求項１〜８のいずれか一項に記載のウェットワイプ。
【請求項１０】
前記少なくとも１種の界面活性剤が、カプリル／カプラミドプロピルベタインである、請求項９に記載のウェットワイプ。
【請求項１１】
前記配合物が、前記配合物の総重量に基づき約０．１〜約０．５重量パーセントの少なくとも１種の抗菌性保存剤をさらに含む、請求項１〜１０のいずれか一項に記載のウェットワイプ。
【請求項１２】
前記抗菌性保存剤が、ジアゾリジニル尿素、プロピルパラベン、およびメチルパラベンを含む、請求項１１に記載のウェットワイプ。
【請求項１３】
前記配合物が、約５〜約７のｐＨを有する、請求項１〜１２のいずれか一項に記載のウェットワイプ。
【請求項１４】
前記配合物が、前記配合物の総重量に基づき約０．０１〜約１０重量パーセントのグリセリンをさらに含む、請求項１〜１３のいずれか一項に記載のウェットワイプ。
【請求項１５】
前記配合物が、前記配合物の総重量に基づき約０．０１〜約０．５重量パーセントの植物抽出物をさらに含む、請求項１〜１４のいずれか一項に記載のウェットワイプ。
【請求項１６】
前記配合物が、前記配合物の総重量に基づき約２０重量パーセントのウイッチヘーゼルを含む、請求項１〜１５のいずれか一項に記載のウェットワイプ。
【請求項１７】
繊維シート材料と水系配合物とを含むウェットワイプであって、前記水系配合物は、前記配合物の総重量に基づき、
ａ．）約５０重量パーセントのウイッチヘーゼル；
ｂ．）約９重量パーセントのグリセリン；
ｃ．）約５重量パーセントのプロピレングリコール；
ｄ．）約１．５重量パーセントのエトキシ化シアバター；
ｅ．）約０．２重量パーセントのキュウリ抽出物；
ｆ．）約０．２重量パーセントのカモミール抽出物；
ｇ．）約０．２重量パーセントのジアゾリジニル尿素；
ｈ．）約０．２重量パーセントの芳香剤；
ｉ．）約０．２重量パーセントのメチルパラベン；
ｊ．）約０．１重量パーセントのカプラミドプロピルベタイン；
ｋ．）約０．１重量パーセントのアロエベラ；
ｌ．）約０．１重量パーセントのビタミンＥ酢酸エステル；
ｍ．）約０．０９重量パーセントのクエン酸；
ｎ．）約０．０９重量パーセントのクエン酸ナトリウム；
ｏ．）約０．０５重量パーセントのエデト酸二ナトリウム；および
ｐ．）約０．０５重量パーセントのプロピルパラベン；
ｑ．）約３３重量パーセントの添加精製水
を含む、ウェットワイプ。
【請求項１８】
繊維シート材料と水系配合物とを含むウェットワイプであって、前記水系配合物は、前記配合物の総重量に基づき、
ａ．）約２０重量パーセントのウイッチヘーゼル；
ｂ．）約９重量パーセントのグリセリン；
ｃ．）約５重量パーセントのプロピレングリコール；
ｄ．）約１．５重量パーセントのエトキシ化シアバター；
ｅ．）約０．２重量パーセントのキュウリ抽出物；
ｆ．）約０．２重量パーセントのカモミール抽出物；
ｇ．）約０．２重量パーセントのジアゾリジニル尿素；
ｈ．）約０．２重量パーセントの芳香剤；
ｉ．）約０．２重量パーセントのメチルパラベン；
ｊ．）約０．１重量パーセントのカプラミドプロピルベタイン；
ｋ．）約０．１重量パーセントのアロエベラ；
ｌ．）約０．１重量パーセントのビタミンＥ酢酸エステル；
ｍ．）約０．０９重量パーセントのクエン酸；
ｎ．）約０．０９重量パーセントのクエン酸ナトリウム；
ｏ．）約０．０５重量パーセントのエデト酸二ナトリウム；および
ｐ．）約０．０５重量パーセントのプロピルパラベン；
ｑ．）約６３重量パーセントの添加精製水
を含む、ウェットワイプ。
【請求項１９】
ウェットワイプに使用するための、請求項１〜１８のいずれか一項に記載の水系配合物の製造方法であって、
ａ．）
ｉ．）少なくとも１種の乳化剤は、副相混合容器において５０℃で溶融させる；
ｉｉ．）少なくとも１種の皮膚軟化剤をこの副相混合容器に添加する；および
ｉｉｉ．）少なくとも１種の乳化剤および少なくとも１種の皮膚軟化剤を、この副相混合容器において混合する；
ことにより副相を調整するステップ、および
ｂ．）この副相を、約２５℃で激しく混合させている主バッチと混合するステップ、
を含む方法。
【請求項２０】
ウェットワイプに使用するための、請求項１７または１８に記載の水系配合物の製造方法であって、以下のステップを含む方法
ａ．）
ｉ．）エトキシ化シアバターは、副相混合容器において５０℃で溶融させる；
ｉｉ．）ビタミンＥ酢酸エステルをこの副相混合容器に添加する；および
ｉｉｉ．）エトキシ化シアバターおよびビタミンＥ酢酸エステルを、この副相混合容器において混合する；
ことにより副相を調整するステップ、
ｂ．）この副相を、約２５℃で激しく混合させている主バッチと混合するステップ（ここで主バッチはウイッチヘーゼル、グリセリン、キュウリ抽出物、カモミール抽出物、ジアゾリジニル尿素、カプラミドプロピルベタイン、アロエベラ、クエン酸、クエン酸ナトリウム、エデト酸二ナトリウム、および添加精製水を含む）、
ｃ．）プロピレングリコール、メチルパラベン、および芳香剤の混合により、プロピレングリコール保存剤相を調整するステップ、
ｄ．）ｃ．）のプロピレングリコール保存剤相を、主バッチおよび副相を含むステップｂ．）の混合物に添加するステップ、および
ｅ．）配合物を約２５℃で混合するステップ、
を含む方法。
【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
全ての互変異性体および立体異性体を含む、式 (I)  
【化１】
2016540803.tif 000001
［式中:
R1はH;任意に置換されたアルキル(ここで任意の置換基はC1-6アルコキシ、NH2、-NHC1-3アルキルおよび-N(C1-3アルキル)2から各々が独立して選択される１または複数の置換基を含む);-C(O)Oアルキル;ハロアルキル;ハロアルコキシ;または-アルキルアリールを表し;
それぞれのR2は独立してH;任意に置換されたアルキル(ここで任意の置換基はC1-6アルコキシ、NH2、-NHC1-3アルキルおよび-N(C1-3アルキル)2から各々が独立して選択される１または複数の置換基を含む);-アルキルアリール;任意に置換されたカルボシクリル(ここで任意の置換基はC1-6アルキル、C1-6アルコキシ、C1-6ハロアルキル、C1-6ハロアルコキシおよびハロから各々が独立して選択される１または複数の置換基を含む);任意に置換されたヘテロシクリル(ここで任意の置換基はC1-6アルキル、C1-6アルコキシ、-C(O)OC1-6アルキル、-C(O)C1-6アルキルおよび-C(O)NHC1-6アルキルから各々が独立して選択される１または複数の置換基を含む);-NHアルキル;-N(アルキル)2;アミノ;ヒドロキシル;アルコキシまたはハロを表し;
nは0、1または2を表し;
R3はHまたはアルキルを表し;
R4はHまたはアルキルを表し;
R5はHまたはアルキルを表し;
WおよびXはそれぞれ独立してC=O;C=S;またはCH2を表し;
Yはアリールまたは6-員単環式ヘテロアリールを表し;かつ
Zはアリールまたはヘテロアリールを表す］
の化合物またはその医薬的に許容される塩、溶媒和物もしくは多形体。
【請求項２】
R1はH、メチル、エチル、-C(O)OMe、CF3またはOMeを表す、請求項１に記載の化合物。
【請求項３】
それぞれのＲ2は独立してHまたはアルキルを表す、請求項１または２のいずれか１項に記載の化合物。
【請求項４】
ｎは１を表す、請求項１〜３のいずれか１項に記載の化合物。
【請求項５】
R3はHを表す、請求項１〜４のいずれか１項に記載の化合物。
【請求項６】
R4はHを表す、請求項１〜５のいずれか１項に記載の化合物。
【請求項７】
R5はHを表す、請求項１〜６のいずれか１項に記載の化合物。
【請求項８】
WおよびXそれぞれはC=Oを表す、請求項１〜７のいずれか１項に記載の化合物。
【請求項９】
Yはフェニルあるいは、1または2の窒素原子を含む１、２または３の環ヘテロ原子を含む単環式ヘテロアリールを表す、請求項１〜８のいずれか１項に記載の化合物。
【請求項１０】
YはC1-6アルキル、C1-6アルコキシ、ハロおよびC1-6ハロアルキルから各々が独立して選択される１または複数の置換基により置換されている、請求項１〜９のいずれか１項に記載の化合物。
【請求項１１】
以下の化合物の１つである請求項１に記載の化合物。
【表１】
2016540803.tif 000002
【表２】
2016540803.tif 000003
【表３】
2016540803.tif 000004
【表４】
2016540803.tif 000005
【表５】
2016540803.tif 000006
【表６】
2016540803.tif 000007
【表７】
2016540803.tif 000008
【表８】
2016540803.tif 000009
【表９】
2016540803.tif 000010
【表１０】
2016540803.tif 000011
【表１１】
2016540803.tif 000012
【表１２】
2016540803.tif 000013
【表１３】
2016540803.tif 000014
【表１４】
2016540803.tif 000015
【表１５】
2016540803.tif 000016
【表１６】
2016540803.tif 000017
【表１７】
2016540803.tif 000018
【表１８】
2016540803.tif 000019
【表１９】
2016540803.tif 000020
【請求項１２】
ｎ＝１、Ｒ１はメチルであり、R2からR5は全てHであり、WおよびXは両方ともC=Oであり、Ｙは１または２の環窒素を有しかつ他のヘテロ原子を有さない6-員ヘテロシクリルであり、かつZは任意にメチルにより置換されているピリジニルである、請求項１に記載の化合物。
【請求項１３】
4-(2-メチル-6,7-ジヒドロピラゾロ[1,5-a]ピリミジン-4(5H)-イル)-4-オキソ-N-(6-(ピリジン-3-イル)ピリダジン-3-イル)ブタンアミド: 
【化２】
2016540803.tif 000021
N-(5'-メチル-2,3'-ビピリジン-5-イル)-4-(2-メチル-6,7-ジヒドロピラゾロ[1,5-a]ピリミジン-4(5H)-イル)-4-オキソブタンアミド: 
【化３】
2016540803.tif 000022
である、請求項１２に記載の化合物。
【請求項１４】
１または複数の治療上許容されるアジュバント、希釈液またはキャリアと組み合わせた請求項１〜１３のいずれか１項に記載の化合物を含む、医薬組成物。
【請求項１５】
WNT経路活性に関連した疾患または症状の治療のための薬剤の製造における、請求項１〜１３のいずれか１項に記載の化合物の使用。
【請求項１６】
疾患または症状は癌、線維症、幹細胞および糖尿病性網膜症、リウマチ性関節炎、乾癬および心筋梗塞からなる群から選択される、請求項１５に記載の使用。
【請求項１７】
WおよびX それぞれはC=Oを表し、工程は式 (II) 
【化４】
2016540803.tif 000023
（式中、R1、R2、R2、n、R3およびR4は請求項１〜１３のいずれか1項において定義する通りである）の化合物と式(III) 
【化５】
2016540803.tif 000024
（式中、R5、YおよびZは請求項１〜２４のいずれか1項において定義する通りである）
の化合物またはその保護誘導体との反応を含む、請求項１〜１３のいずれか１項に記載の化合物の製造方法。
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
前剥離させた層状材料を調製するための方法であって、
天然または合成で、変性または未変性の層状材料と、紫外線吸収剤、ヒンダードアミン系光安定剤、抗酸化物質、着色料、難燃剤、抗菌剤、脂肪酸のアルカリ金属塩およびアルカリ土類金属塩の添加剤からなる群から選択される１種または２種以上のプラスチック添加剤と、を混合し、
前記混合物を押出成形することを含む、方法。
【請求項２】
前記変性または未変性の層状材料は、層状シリケート、グラファイト、ヴァーティソール、層状複水酸化物、フラーレン、カーボンナノチューブ、シリカ、多面体オリゴマーシルセスキオキサン、ナノメタル、金属酸化物、金属有機構造体、ゼオライト、これらの混合物からなる群から選択される、請求項１に記載の方法。
【請求項３】
前記変性または未変性の層状材料は、モンモリロナイト、ベントナイト、バイデライト、雲母、ヘクトライト、サポナイト、ノントロナイト、ソーコナイト、バーミキュライト、レディカイト、マガタイト、ケニヤアイト、ステベンサイト、ボルコンスコアイト、ハイドロタルサイト、イライト、カオリナイト、ウラストナイト、アタパルジャイト、セピオライト、ハロイサイト、タルク、シリカおよびこれらの混合物からなる群から選択される、請求項１に記載の方法。
【請求項４】
前記混合物の前記押出成形は、少なくとも１種の前記添加剤の融点より高い温度で実施される、請求項１に記載の方法。
【請求項５】
前記１種または２種以上のプラスチック添加剤は、フェノール部分、ピペリジン部分、トリアゾール部分、トリアジン部分、ホスファイト部分またはホスフェート部分を含有する、請求項１に記載の方法。
【請求項６】
前記１種または２種以上のプラスチック添加剤は、ヒドロキシフェニルベンゾトリアゾール系紫外線吸収剤、トリス−アリール−ｓ−トリアジン系紫外線吸収剤、ヒンダードアミン系光安定剤、有機リン安定剤、ヒンダードフェノール系抗酸化物質からなる群から選択される、請求項１に記載の方法。
【請求項７】
前記変性または未変性の層状材料の前記プラスチック添加剤に対する重量：重量比が、約１０：９０から約９０：１０、約２０：８０から約８０：２０、約３０：７０から約７０：３０、約４０：６０から約６０：４０または約５０：５０から約１０：９０である、請求項１に記載の方法。
【請求項８】
前記層状材料には、≧０．５ｎｍ、≧１ｎｍ、≧１．５ｎｍまたは≧２ｎｍの層間の拡大が生じる、請求項１に記載の方法。
【請求項９】
前記層状材料の前記層間は、≧３ｎｍまたは≧３．５ｎｍまで拡大される、請求項８に記載の方法。
【請求項１０】
前記層状材料とポリマー添加剤の総重量に対して、２０重量％未満、１５重量％未満、１０重量％未満、５重量％未満、３重量％未満、２重量％未満または０重量％の他の成分が存在する、請求項１に記載の方法。
【請求項１１】
前記層状材料とポリマー添加剤の総重量に対して、最大約５０重量％、最大約６０重量％、最大約７０重量％または最大約８０重量％の他の成分が存在する、請求項１に記載の方法。
【請求項１２】
前剥離させた、天然または合成で変性または未変性の層状材料と、
紫外線吸収剤、ヒンダードアミン系光安定剤、抗酸化物質、着色料、難燃剤、抗菌剤、脂肪酸のアルカリ金属塩およびアルカリ土類金属塩の添加剤からなる群から選択される１種または２種以上のプラスチック添加剤と、
前記前剥離させた層状材料／添加剤組成物の重量に対して、２０重量％未満、１５重量％未満、１０重量％未満、５重量％未満、３重量％未満、２重量％未満または０重量％の他の成分と、からなる、前剥離させた層状材料／添加剤組成物。
【請求項１３】
請求項１２に記載の前記前剥離させた層状材料／添加剤組成物と、ポリマー基質とを組み合わせ、前記組み合わせを溶融ブレンドすることを含む、ポリマーナノコンポジットを調製するための方法。
【請求項１４】
前記ポリマーは、ポリオレフィン、ポリアミド、ポリエステル、ポリスチレン、ポリカーボネート、ポリウレタン、ポリアセタールからなる群から選択される、請求項１３に記載の方法。
【請求項１５】
ポリマー基質と、これに取り込まれた、請求項１２に記載の前剥離させた層状材料／添加剤組成物と、を含む、ナノコンポジット。
【誤訳訂正書】
【提出日】平成29年12月13日(2017.12.13)
【誤訳訂正１】
【訂正対象書類名】明細書
【訂正対象項目名】００２０
【訂正方法】変更
【訂正の内容】
【００２０】
用語「Ｃ１〜６アルキル」および「Ｃ１〜１０アルキル」は、好ましくは、本発明の意味において、非環式の飽和の脂肪族炭化水素残基を含み、それぞれ分岐であっても非分岐であってもよく、置換されていなくても単置換または多置換、例えば一、二もしくは三置換されていてもよく、１〜６個の炭素原子、つまり１、２、３、４、５もしくは６個の炭素原子、または１〜１０、つまり１、２、３、４、５、６、７、８、９もしくは１０個の炭素原子を含み、それぞれ、つまりＣ１〜６アルキルおよびＣ１〜１０アルキルである。好ましいＣ１〜６アルキル基は、メチル、エチル、ｎ−プロピル、２−プロピル、ｎ−ブチル、イソブチル、ｓｅｃ．−ブチル、ｔｅｒｔ．−ブチル、ｎ−ペンチル、イソペンチル、ネオペンチルおよびｎ−ヘキシルからなる群から選択される。好ましいＣ１〜１０アルキル残基は、メチル、エチル、ｎ−プロピル、２−プロピル、ｎ−ブチル、イソブチル、ｓｅｃ．−ブチル、ｔｅｒｔ．−ブチル、ｎ−ペンチル、イソペンチル、ネオペンチル、ｎ−ヘキシル、ｎ−ヘプチル、ｎ−オクチル、ｎ−ノニル、ｎ−デカニルおよびイソオクチルからなる群から選択される。
【誤訳訂正２】
【訂正対象書類名】明細書
【訂正対象項目名】０１５９
【訂正方法】変更
【訂正の内容】
【０１５９】
例０３：１−ベンジル−３−（６−ヒドロキシピリジン−３−イル）−Ｎ，４−ジメチル−Ｎ−ネオペンチル−５−（トリフルオロメチル）−１Ｈ−ピロール−２−カルボキサミド
ＴＭＳＣｌ（０．２７ｍｌ、２．１１ｍｍｏｌ、４ｅｑ）を、ＭｅＣＮ中の１−ベンジル−３−（６−メトキシピリジン−３−イル）−Ｎ，４−ジメチル−Ｎ−ネオペンチル−５−（トリフルオロメチル）−１Ｈ−ピロール−２−カルボキサミド（０．２５ｇ、０．５２ｍｍｏｌ、１ｅｑ）およびＫＩ（０．３５ｇ、２．１１ｍｍｏｌ、４ｅｑ）の溶液に加え、反応混合物を、８０℃で１６時間撹拌した。反応混合物を、ＲＴまで冷却し、Ｈ２Ｏで希釈し、ＥｔＯＡｃ（７５ｍｌ×２）で抽出した。合わせた有機層を無水Ｎａ２ＳＯ４で乾燥させ、濾過し、減圧下で濃縮して、粗物質塊を得、これを次いでＣＣにより精製して、１−ベンジル−３−（６−ヒドロキシピリジン−３−イル）−Ｎ，４−ジメチル−Ｎ−ネオペンチル−５−（トリフルオロメチル）−１Ｈ−ピロール−２−カルボキサミド（０．１５ｇ、６２％）を白色の固体として得た。
【誤訳訂正３】
【訂正対象書類名】明細書
【訂正対象項目名】０１６１
【訂正方法】変更
【訂正の内容】
【０１６１】
例０５：（１−ベンジル−３−（５−メトキシピラジン−２−イル）−４−メチル−５−（トリフルオロメチル）−１Ｈ−ピロール−２−イル）（モルホリノ）メタノン
５ａ）：（１−ベンジル−３−ブロモ−４−メチル−５−（トリフルオロメチル）−１Ｈ−ピロール−２−イル）（モルホリノ）メタノン
ＨＡＴＵ（１１．３４ｇ、２９．８３ｍｍｏｌ、１．２ｅｑ）およびＤＩＰＥＡ（１１．１ｍｌ、６２．１５ｍｍｏｌ、２．５ｅｑ）を、ＤＭＦ（１００ｍｌ）中の１−ベンジル−３−ブロモ−４−メチル−５−（トリフルオロメチル）−１Ｈ−ピロール−２−カルボン酸（９ｇ、２４．８６ｍｍｏｌ、１ｅｑ）の氷冷溶液に加え、これを１０分間、同じ温度で撹拌し、次いで、モルホリン（２．５９ｇ、２９．８３ｍｍｏｌ、１．２ｅｑ）を加えた。反応混合物をＲＴまで温め、次いで１４時間撹拌した。反応混合物を、ＥｔＯＡｃおよびＨ２Ｏで希釈した。水性層をＥｔＯＡｃ（３００ｍｌ×２）で抽出し、合わせた有機層を、水（３００ｍｌ×２）およびブライン（３００ｍｌ×２）で洗浄し、無水Ｎａ２ＳＯ４で乾燥させ、濾過し、減圧下で濃縮して、粗物質塊を得、これを次いでＣＣにより精製して、（１−ベンジル−３−ブロモ−４−メチル−５−（トリフルオロメチル）−１Ｈ−ピロール−２−イル）（モルホリノ）メタノン（１０．１ｇ、９４％）を白色の固体として得た。
【誤訳訂正書】
【提出日】平成29年12月11日(2017.12.11)
【誤訳訂正１】
【訂正対象書類名】明細書
【訂正対象項目名】００１７
【訂正方法】変更
【訂正の内容】
【００１７】
これに対して、プラズマの緩和領域は、上記電極によって制限される励起領域の外にある。プラズマの緩和領域は時々「残光」範囲と呼ばれる。プラズマの緩和領域内には、自由電子とイオンはもはや存在せず、むしろ励起された原子または分子が存在する。
【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
複数の液体試料内の粒子の少なくとも１つの特性の光学的測定において使用するためのキュベットアセンブリであって、
複数の開口部を有する本体であって、各開口部は、前記複数の液体試料のそれぞれ１つを受け取るためであり、前記複数の開口部のそれぞれは、前記液体入力チャンバを前記関連する光学チャンバから分離する関連する中間隔壁を通して、関連する光学チャンバと流体連通する関連する液体入力チャンバに通じ、各光学チャンバは、前記それぞれの液体試料を通した入力光ビームの透過を可能にするための入射窓、および前記それぞれの液体試料内の前記粒子によって引き起こされる前方散乱信号を透過するための出射窓を有する、本体と、
複数の個別の閉鎖機構であって、前記複数の閉鎖機構のそれぞれは、前記複数の開口部のそれぞれ１つに関連し、前記複数の閉鎖機構のそれぞれは、前記それぞれの液体試料を受け取るための初期開放位置から、前記関連する液体入力チャンバからの漏洩を抑止するための閉鎖位置まで移動可能である、閉鎖機構と、
を備えることを特徴とするキュベットアセンブリ。
【請求項２】
請求項１に記載のキュベットアセンブリであって、前記複数の個別の閉鎖機構のそれぞれは、前記閉鎖機構の再開放を抑止するために前記閉鎖位置にロックされることを特徴とするキュベットアセンブリ。
【請求項３】
請求項１に記載のキュベットアセンブリであって、前記複数の閉鎖機構のそれぞれは、前記初期開放位置から前記閉鎖位置まで滑らせることができることを特徴とするキュベットアセンブリ。
【請求項４】
複数の液体試料内の粒子の少なくとも１つの特性の光学的測定において使用するためのキュベットアセンブリであって、
内壁および外壁を有する本体と、
前記内壁によって少なくとも部分的に画定される、前記本体内の複数のキュベットであって、前記複数のキュベットのそれぞれは、前記複数の液体試料のそれぞれ１つを受け取るための液体入力チャンバ、フィルタ、および前記複数の液体試料のそれぞれ１つを前記フィルタに通過させることによって生ずるそれぞれの濾過された液体試料を受け取るための光学チャンバを含み、前記光学チャンバのそれぞれは、前記濾過された液体試料を通した入力光ビームの透過を可能にするための入射窓、および前記濾過された液体試料内の前記粒子によって引き起こされる前方散乱信号を透過するための出射窓を含む、キュベットと、
を備えることを特徴とするキュベットアセンブリ。
【請求項５】
請求項４に記載のキュベットアセンブリであって、複数の閉鎖機構をさらに含み、前記複数の閉鎖機構のそれぞれは、前記複数の液体入力チャンバのそれぞれ１つに関連し、前記複数の閉鎖機構のそれぞれは、前記複数の液体試料のそれぞれ１つを受け取るための初期開放位置にあり、前記複数の液体試料の前記それぞれ１つを受け取った後に閉鎖位置まで移動可能であることを特徴とするキュベットアセンブリ。
【請求項６】
請求項５に記載のキュベットアセンブリであって、前記複数の閉鎖機構のそれぞれは、前記キュベットアセンブリからの漏洩を抑止するために前記閉鎖位置にロックされることを特徴とするキュベットアセンブリ。
【請求項７】
請求項４に記載のキュベットアセンブリであって、前記本体に取り付けられた窓アセンブリをさらに含み、前記窓アセンブリは、前記光学チャンバのための前記出射窓のすべて、または前記光学チャンバのための前記入射窓のすべてのいずれかをもたらすことを特徴とするキュベットアセンブリ。
【請求項８】
請求項４に記載のキュベットアセンブリであって、前記それぞれの液体試料と混合するために、前記液体入力チャンバの２つ以上に予め装填された少なくとも１つの化学エフェクタをさらに含み、前記液体入力チャンバの１つ内の前記化学エフェクタは、種類または濃度において他の少なくとも１つの液体入力チャンバ内の前記化学エフェクタとは異なることを特徴とするキュベットアセンブリ。
【請求項９】
複数の液体試料内の粒子の少なくとも１つの特性の光学的測定において使用するためのキュベットアセンブリであって、
前記複数の液体試料のそれぞれ１つを受け取るための複数の光学チャンバを少なくとも部分的に画定するための内壁を有する本体であって、前記光学チャンバのそれぞれは、前記それぞれの液体試料を通した入力光ビームの透過を可能にするための入射窓、および前記それぞれの液体試料内の前記粒子によって引き起こされる光学信号を透過するための出射窓を含み、前記入力光ビームの中心軸に対してある角度をなす下面をさらに含む、本体と、
前記本体の角度を有する下面に関連する位置合わせ構造体の第１の対であって、前記入力光ビームを発生する光源に関連する機器内のプラットフォーム上の位置合わせ機構の対応する対と嵌合するための、位置合わせ構造体の第１の対と、
を備えることを特徴とするキュベットアセンブリ。
【請求項１０】
請求項９に記載のキュベットアセンブリであって、前記光学信号は、前記粒子に衝突する前記入力光ビームによって発生される前方散乱信号であることを特徴とするキュベットアセンブリ。
【請求項１１】
請求項９に記載のキュベットアセンブリであって、位置合わせ構造体の前記第１の対は、前記角度を有する下面から下向きに延びた複数の突起部を含むことを特徴とするキュベットアセンブリ。
【請求項１２】
請求項９に記載のキュベットアセンブリであって、前記角度を有する下面に関連する位置合わせ構造体の第２の対をさらに含み、位置合わせ構造体の前記第２の対は、前記入力光ビームを発生する前記光源に関連する前記機器内の前記プラットフォーム上の位置合わせ機構の対応する第２の対と嵌合するためであり、位置合わせ機構の前記第２の対は、前記プラットフォームの領域と係合するための下向きに延びた前記本体の下部壁部分を含むことを特徴とするキュベットアセンブリ。
【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
内側空間と、当該内側空間を部分的に包囲する壁と、を持つ流体に対する使用のためのバルブであって、前記内側空間は、第２の端部よりも小さい第１の端部と、前記第１の端部の反対側にある前記第１の端部よりも大きい前記第２の端部と、を持ち、前記第１の端部は、何の圧力も前記バルブに付与されていない場合に或る厚みを持つ開口を持ち、前記内側空間は、前記バルブを通る開口を形成し、前記幅は、前記バルブの遮断方向に増加している圧力がある場合、前記流体の表面張力の２倍を、前記バルブの両端の圧力差で割ったもの以下に留まる、バルブ。
【請求項２】
前記幅は、０ｍｍよりも大きく且つ０．２ｍｍ以下である、請求項１記載のバルブ。
【請求項３】
前記バルブが、供給器具に適合している、請求項１記載のバルブ。
【手続補正書】
【提出日】平成29年11月27日(2017.11.27)
【手続補正１】
【補正対象書類名】明細書
【補正対象項目名】００３７
【補正方法】変更
【補正の内容】
【００３７】
この効果ゆえ、本発明は、例えば１００℃を超える高い温度および／または２５℃を上回るきわめて高い周囲温度における温間遠心分離物質の遠心分離にきわめて好都合である。  
好ましくは、２５℃未満、とくには１５℃未満の低い冷却空気温度が使用されるべきである。  
冷却空気は、好ましく、かつ好都合には、遠心分離の対象の物質および／または遠心分離機における周囲温度よりも低い温度にある。
【手続補正２】
【補正対象書類名】特許請求の範囲
【補正対象項目名】全文
【補正方法】変更
【補正の内容】
【特許請求の範囲】
【請求項１】
遠心分離機、とくには固形物ボウル遠心分離機（１）のロータ、とくにはボウル（２）をとくに支持するための少なくとも１つの転がり軸受（３０）を有するとともに、少なくとも１つの潤滑剤供給ライン（２８）と少なくとも１つの潤滑剤排出ライン（３２）とを有する転がり軸受冷却装置（１０）を有している軸受装置であって、
前記転がり軸受冷却装置（１０）は、少なくとも１つの冷却空気供給ライン（３１）と、冷却空気排出ライン（３３）とを有し、
前記潤滑剤排出ラインの入口開口（３６）は、前記冷却空気排出ライン（３３）の入口開口（３７）と比べてより大きい半径に位置することを特徴とする
軸受装置。
【請求項２】
前記冷却空気排出ラインおよび前記潤滑剤排出ラインは、単一の統合されたライン（３４）の形態をとり、結果として冷却空気および潤滑剤の排出が前記ライン（３４）を通って一緒に生じることを特徴とする
請求項１に記載の軸受装置。
【請求項３】
前記潤滑剤排出ライン（３３）は、前記冷却空気排出ライン（３２）とは別に、前記冷却空気排出ライン（３２）から離して配置されることを特徴とする
請求項１に記載の軸受装置。
【請求項４】
前記潤滑剤供給ライン（２８）は、前記冷却空気供給ライン（３１）から離して配置されることを特徴とする
請求項１〜３のいずれか一項に記載の軸受装置。
【請求項５】
前記冷却空気排出ライン（３３）は、前記軸受から離して配置されることを特徴とする
請求項１〜４のいずれか一項に記載の軸受装置。
【請求項６】
前記転がり軸受（３０）に対して、前記潤滑剤供給ラインは、前記冷却空気排出ライン（３３）に対向して配置され、前記冷却空気供給ライン（３１）は、前記潤滑剤排出ライン（３２）に対向して配置されることを特徴とする
請求項１〜５のいずれか一項に記載の軸受装置。
【請求項７】
前記潤滑剤供給ライン（２８）を通って前記転がり軸受（３０）へと供給される潤滑剤の流れおよび／または前記冷却空気供給ライン（３１）を通って前記転がり軸受（３０）へと供給される冷却空気の流れが、前記転がり軸受（３０）の転がり軸受内側リング（１８）と転がり軸受外側リング（２０）との間の軸方向の開口を通って導かれることを特徴とする
請求項１〜６のいずれか一項に記載の軸受装置。
【請求項８】
前記潤滑剤供給ライン（２８）は、ノズルのやり方で下流において狭くなる穴であることを特徴とする
請求項１〜７のいずれか一項に記載の軸受装置。
【請求項９】
前記潤滑剤供給ライン（２８）は、前記転がり軸受（３０）の領域においてノズル（２９）によってハウジング（１９）の内部空間へと開いていることを特徴とする
請求項１〜８のいずれか一項に記載の軸受装置。
【請求項１０】
前記転がり軸受（３０）は、シール（１４、１５、および２４、２６）によって周囲の環境および中空シャフト（１１）から封じられていることを特徴とする
請求項１〜９のいずれか一項に記載の軸受装置。
【請求項１１】
前記転がり軸受（３０）を周囲の環境から封じるシール（２４、２６）は、運動用シールであることを特徴とする
請求項１〜１０のいずれか一項に記載の軸受装置。
【請求項１２】
前記冷却空気供給ラインおよび前記潤滑剤供給ラインは、単一の統合されたラインの形態をとることを特徴とする
請求項１〜１１のいずれか一項に記載の軸受装置。
【請求項１３】
ロータ軸受として機能し、とくにはボウル軸受として機能する請求項１〜１２のいずれか一項に記載の１つ以上の軸受装置を有している
遠心分離機、とくにはデカンタまたは分離装置。
【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
流体容器用のライナーであって、
流体収容部分及び開放端を画定する側壁と、
前記側壁から外方へ延在するフランジと、
前記フランジに連結されたラッチ部材と、
を備え、前記ラッチ部材が、前記ライナーと適合性のある蓋に前記側壁を取り外し可能に連結するための保持機構を備える、流体容器用のライナー。
【請求項２】
スプレー装置用の流体容器であって、
蓋であって、前記蓋を前記スプレー装置に連結するように適合された流体出口を有する蓋と、
ライナーであって、前記ライナーの内部に収容された流体が前記流体容器から取り出されるときにつぶれるライナーと、
を備え、前記ライナー又は蓋のいずれか一方が、前記ライナー及び前記蓋を互いに取り外し可能に連結するラッチを備える、スプレー装置用の流体容器。
【請求項３】
流体を容器に格納する方法であって、
前記流体をつぶれることができるライナー内に移送することと、
前記ライナーを硬い外側カップの内部に少なくとも部分的に配置することと、
前記ライナーの開放端を蓋で少なくとも部分的に覆うことと、
前記ライナー又は前記蓋のいずれか一方のラッチ部材を、前記ライナー及び蓋が分離可能な第１の位置から前記ライナー及び蓋が互いに固定される第２の位置まで移動させることと、
を含む、流体を容器に格納する方法。
【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
急性腎臓損傷のリスクがある被験体を予防的に治療する方法において使用するための、腎臓上皮細胞のＧ０／Ｇ１細胞周期停止を調節する１つ以上の作用物質であって、前記使用は、有効量の、腎臓上皮細胞のＧ０／Ｇ１細胞周期停止を調節する１つ以上の作用物質を、腎臓上皮細胞の集団において細胞周期停止を誘導するには十分であるが、前記被験体の急性腎不全までの進行により測定される腎毒性を誘導するには不十分である時間の間、前記被験体に投与することを含む、１つ以上の作用物質。
【請求項２】
前記Ｇ０／Ｇ１細胞周期停止を調節する１つ以上の作用物質は、シクロスポリンＡ、アルテスナート、シンバスタチン、ブファリン、ＮＣ３８１、フラボピリドール、エベロリムス、リコリン、組織メタロプロテアーゼ阻害物質２（ＴＩＭＰ−２）、インスリン様増殖因子結合タンパク質７（ＩＧＦＢＰ７）、ＰＡＭＰ、およびＤＡＭＰからなる群より選択される、請求項１に記載の１つ以上の作用物質。
【請求項３】
前記Ｇ０／Ｇ１細胞周期停止を調節する作用物質はシクロスポリンＡである、請求項２に記載の１つ以上の作用物質。
【請求項４】
前記被験体には、前記Ｇ０／Ｇ１細胞周期停止を調節する１つ以上の作用物質と共に、アポトーシスを阻害する１つ以上の作用物質がさらに投与される、請求項１−３のいずれか一項に記載の１つ以上の作用物質。
【請求項５】
前記アポトーシスを阻害する１つ以上の作用物質は１つ以上のグルココルチコイドを含む、請求項４に記載の１つ以上の作用物質。
【請求項６】
前記使用は、前記被験体から取得された第１の体液試料に対して、ＩＧＦＢＰ７および／またはＴＩＭＰ−２を測定する第１のバイオマーカーアッセイを実施し、第１のアッセイ結果を提供することであって、前記第１の体液試料は、前記被験体から、前記投与工程前に取得される、こと；
前記被験体から取得された体液試料に対して、ＩＧＦＢＰ７および／またはＴＩＭＰ−２を測定する、第２のバイオマーカーアッセイを実施し、第２のアッセイ結果を提供することであって、前記第１の体液試料は前記被験体から、前記投与工程後４８時間に取得される、こと；ならびに
前記第１および第２のアッセイ結果を比較すること
をさらに含み、
前記第１のアッセイ結果に対し、前記第２のアッセイ結果において減少を示す被験体は、前記第１のアッセイ結果に対し前記第２のアッセイ結果において、増加を示す被験体に対し、急性腎臓損傷のリスクが低減している、請求項１−５のいずれか一項に記載の１つ以上の作用物質。
【請求項７】
前記被験体が前記第１のアッセイ結果に対し前記第２のアッセイ結果において減少を示す場合、前記投与工程は終了される、請求項６に記載の１つ以上の作用物質。
【請求項８】
前記被験体が前記第１のアッセイ結果に対し前記第２のアッセイ結果において増加を示す場合、前記被験体は、さらに、腎代替療法の開始、腎臓に損傷を与えることがわかっている化合物の送達の中止、腎臓移植、腎臓に損傷を与えることがわかっている手順の遅延または回避、または利尿薬投与の改変の１つ以上により治療される、請求項６に記載の１つ以上の作用物質。
【請求項９】
前記被験体は、前記投与工程の４８時間以内に、主要血管外科手術、冠動脈バイパス術、他の心臓外科手術、または１つ以上の放射線不透過性造影剤の投与を受ける、請求項１−８のいずれか一項に記載の１つ以上の作用物質。
【請求項１０】
前記被験体は、前記被験体における、腎前性、腎性、または腎後性ＡＲＦに対する１つ以上の公知の危険因子の先在に基づき選択される、請求項１−９のいずれか一項に記載の１つ以上の作用物質。
【請求項１１】
前記被験体は前記投与工程時にＲＩＦＬＥステージ０またはＲにある、請求項１−１０のいずれか一項に記載の１つ以上の作用物質。
【請求項１２】
前記被験体は敗血症を有する、請求項１−１１のいずれか一項に記載の１つ以上の作用物質。
【請求項１３】
腎臓上皮細胞の細胞周期進行を調節する１つ以上の作用物質であって、有効量の、腎臓上皮細胞の細胞周期進行を調節する１つ以上の作用物質を、前記腎臓上皮細胞の集団において細胞周期進行を誘導するのに十分な時間の間、被験体に投与することを含む急性腎臓損傷を有する被験体を治療する方法において使用するための、１つ以上の作用物質。
【請求項１４】
前記細胞周期進行を調節する１つ以上の作用物質は、トラメチニブ、パリフェルミン、ＴＩＭＰ−２に結合し、これを阻害する抗体、およびＩＧＦＢＰ７に結合し、これを阻害する抗体からなる群より選択される、請求項１３に記載の１つ以上の作用物質。
【請求項１５】
組織メタロプロテアーゼ阻害物質２（ＴＩＭＰ−２）および／またはインスリン様増殖因子結合タンパク質７（ＩＧＦＢＰ７）を含む組成物であって、患者から取得された体液試料に対し、ＩＧＦＢＰ７を測定するバイオマーカーアッセイを実施し、ＩＧＦＢＰ７アッセイ結果、およびアッセイ結果を提供すること；
前記患者から取得された体液試料に対し、ＴＩＭＰ−２を測定するバイオマーカーアッセイを実施し、ＴＩＭＰ−２アッセイ結果を提供すること；ならびに
下記治療工程の１つまたはその両方を実施すること：
ＩＧＦＢＰ７アッセイ結果が上昇したが、ＴＩＭＰ−２アッセイ結果は上昇しない場合、Ｇ０／Ｇ１細胞周期の誘導因子を投与すること；および／または
ＴＩＭＰ−２アッセイ結果は上昇したが、ＩＧＦＢＰ７アッセイ結果は上昇しない場合、細胞周期進行の誘導因子を投与すること
を含む、患者を評価し、治療する方法において使用するための、組成物。